(57)【要約】【課題】吸込グリルが傾いたり揺動した場合であっても、吸込グリルを完全に格納することができる天井埋込型空気調和装置を提供する。【解決手段】吸込グリル１０とロング・ライフ・フィルタ１１とが一体的にフィルタ交換位置まで降下可能に構成された昇降グリル２００を備えた天井埋込型空気調和装置において、この昇降グリル２００を構成する吸込グリル１０は、吸込グリル１０をグリル枠４側に上昇させた際にグリル枠４内に先行して入り、当該昇降グリル２００をグリル枠４の適正位置に案内する案内部材４０、４２を、吸込グリル１０の長手方向の両端及び短手方向の端部に備える。また、吸込グリル１０は、吸込グリル１０をグリル枠４側に上昇させた際に一番最初にグリル枠４の下面に当接する当接体５０を備え、この当接体５０が当接した部分を支点として、吸込グリル１０を吊り上げるようにした。【選択図】      図３
2004218963.tif 000002
【特許請求の範囲】
【請求項１】
天井内に埋設される本体の下端に、吸出口と吸込口とを有するグリル枠を設け、このグリル枠の吸込口に吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、
前記昇降グリルを構成する吸込グリルは、当該吸込グリルを前記フィルタ交換位置側から前記グリル枠側に上昇させた際に前記グリル枠内に先行して入り、当該昇降グリルを前記グリル枠の適正位置に案内する案内部材を、当該吸込グリルの長手方向の両端に備えることを特徴とする天井埋込型空気調和装置。
【請求項２】
天井内に埋設される本体の下端に、吸出口と吸込口とを有するグリル枠を設け、このグリル枠の吸込口に吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、
前記昇降グリルを構成する吸込グリルは、当該吸込グリルを前記フィルタ交換位置側から前記グリル枠側に上昇させた際に前記グリル枠内に先行して入り、当該昇降グリルを前記グリル枠の適正位置に案内する案内部材を、当該吸込グリルの短手方向の端部に備えることを特徴とする天井埋込型空気調和装置。
【請求項３】
前記吸込グリルの長辺側の一側縁を二本の吊りひもで支持すると共に、当該長辺側の他側縁の略中央部を一本の吊りひもで支持し、
前記吸込グリルは、
この一本の吊りひもで支持された側縁側に、前記案内部材を備え、
前記二本の吊りひもで支持された側縁側に、当該吸込グリルを前記フィルタ交換位置側から前記グリル枠側に上昇させた際に、一番最初に前記グリル枠の下面に当接する当接体を備え、この当接体が当接した部分を支点として、当該吸込グリルを吊り上げることを特徴とする請求項１又は２に記載の天井埋込型空気調和装置。
【請求項４】
前記グリル枠には、前記吸込グリルの当接体と対向する部分に段差が設けられており、この段差に前記吸込グリルの当接体が当接することを特徴とする請求項３に記載の天井埋込型空気調和装置。
【請求項５】
前記吸込グリルの案内部材は、前記グリル枠の内側側面に当接し、この内側側面に沿って前記昇降グリルを前記グリル枠の適正位置に案内することを特徴とする請求項１乃至４のいずれかに記載の天井埋込型空気調和装置。
【請求項６】
前記グリル枠の前記吸込グリルの案内部材が当接する内側側面を、下方に行くに従って外側に傾斜する傾斜面に形成したことを特徴とする請求項５に記載の天井埋込型空気調和装置。
【発明の詳細な説明】
【０００１】
【発明の属する技術分野】
本発明は、天井埋込型空気調和装置に関する。
【０００２】
【従来の技術】
一般に、天井内に埋設される本体の下端に、吹出口と吸込口とを有するグリル枠を設け、このグリル枠の開口部にフィルタを支持する吸込グリルを設け、この吸込グリルをフィルタごと昇降自在に形成し、フィルタを交換するときには吸込グリルをフィルタごと降下させて、このフィルタを低所で交換できるようにした空気調和装置が知られている（特許文献１参照）。
【０００３】
【特許文献１】
特開２００２−３４９８９３号公報
【０００４】
【発明が解決しようとする課題】
しかし、四本の吊りひもで吸込グリルを上昇させてグリル枠に格納する際に、各吊りひもの引っ張り力のばらつきによって吸込グリルが傾いたり、吸込グリルが揺動して、吸込グリルがグリル枠に完全に格納されなくなってしまうおそれがある。
【０００５】
そこで、本発明の目的は、上述した従来の技術が有する課題を解消し、吸込グリルが傾いたり揺動した場合であっても、吸込グリルを完全に格納することができる天井埋込型空気調和装置を提供することにある。
【０００６】
【課題を解決するための手段】
上述課題を解決するため、請求項１に記載の発明は、天井内に埋設される本体の下端に、吸出口と吸込口とを有するグリル枠を設け、このグリル枠の吸込口に吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、前記昇降グリルを構成する吸込グリルは、当該吸込グリルを前記フィルタ交換位置側から前記グリル枠側に上昇させた際に前記グリル枠内に先行して入り、当該昇降グリルを前記グリル枠の適正位置に案内する案内部材を、当該吸込グリルの長手方向の両端に備えることを特徴とする。
【０００７】
この構成によれば、吸込グリルをグリル枠側に上昇させた際に、グリル枠内に先行して入り、当該昇降グリルをグリル枠の適正位置に案内する案内部材を、吸込グリルの長手方向の両端に備えるので、吸込グリルが長手方向に揺動しても、その揺動を抑え、昇降グリルをグリル枠の適正位置に収納させることができる。
【０００８】
請求項２に記載の発明は、天井内に埋設される本体の下端に、吸出口と吸込口とを有するグリル枠を設け、このグリル枠の吸込口に吸込グリルを設け、この吸込グリルの開口部には、吸込空気を清浄化するためのフィルタを着脱可能に設置し、前記吸込グリルとフィルタとが一体的にフィルタ交換位置まで降下可能に構成された昇降グリルを備えた天井埋込型空気調和装置において、前記昇降グリルを構成する吸込グリルは、当該吸込グリルを前記フィルタ交換位置側から前記グリル枠側に上昇させた際に前記グリル枠内に先行して入り、当該昇降グリルを前記グリル枠の適正位置に案内する案内部材を、当該吸込グリルの短手方向の端部に備えることを特徴とする。
【０００９】
この構成によれば、吸込グリルをグリル枠側に上昇させた際に、グリル枠内に先行して入り、当該昇降グリルをグリル枠の適正位置に案内する案内部材を、当該吸込グリルの短手方向の端部に備えるので、吸込グリルが短手方向に揺動しても、その揺動を抑え、昇降グリルをグリル枠の適正位置に収納させることができる。
【００１０】
請求項３に記載の発明は、請求項１又は２に記載の構成において、前記吸込グリルの長辺側の一側縁を二本の吊りひもで支持すると共に、当該長辺側の他側縁の略中央部を一本の吊りひもで支持し、前記吸込グリルは、この一本の吊りひもで支持された側縁側に、前記案内部材を備え、前記二本の吊りひもで支持された側縁側に、当該吸込グリルを前記フィルタ交換位置側から前記グリル枠側に上昇させた際に、一番最初に前記グリル枠の下面に当接する当接体を備え、この当接体が当接した部分を支点として、当該吸込グリルを吊り上げることを特徴とする。
【００１１】
この構成によれば、吸込グリルをグリル枠側に上昇させた際に、一番最初にグリル枠の下面に当接する当接体を備え、この当接体が当接した部分を支点として、当該吸込グリルを吊り上げるので、吸込グリルが傾いても、この当接体が当接した部分を支点として当該吸込グリルを吊り上げて回動し、吸込グリルを水平状態に戻すことができる。これにより、昇降グリルをグリル枠の適正位置に収納させることができる。
【００１２】
請求項４に記載の発明は、請求項３に記載の構成において、前記グリル枠には、前記吸込グリルの当接体と対向する部分に段差が設けられており、この段差に前記吸込グリルの当接体が当接することを特徴とする。
【００１３】
請求項５に記載の発明は、請求項１乃至４のいずれかに記載の構成において、前記吸込グリルの案内部材は、前記グリル枠の内側側面に当接し、この内側側面に沿って前記昇降グリルを前記グリル枠の適正位置に案内することを特徴とする。
【００１４】
請求項６に記載の発明は、請求項５に記載の構成において、前記グリル枠の前記吸込グリルの案内部材が当接する内側側面を、下方に行くに従って外側に傾斜する傾斜面に形成したことを特徴とする。
【００１５】
【発明の実施の形態】
以下、図面を参照して本発明の実施形態を詳述する。
【００１６】
図１は本発明に係る天井埋込型空気調和装置１００を示す図である。図１に示すように、天井埋込型空気調和装置１００は、居住空間において天井に設置され、特に壁寄りの位置に設けられる。本体１は天井内部に埋設されている。
【００１７】
この本体１の内部には、図２に示すように、熱交換器２、送風機３等が収納されている。本体１の下端にはグリル枠４が固定され、このグリル枠４の一端側には、居住空間の広域側寄りに吹出口５が設けられている。この吹出口５から居住空間の広域側（被調和室の中央部側）に空気が吐出される。また、上記グリル枠４の他端側には、壁寄りの位置に吸込口６が設けられており、この吸込口６から空気が吸い込まれる。この吸込口６には、昇降グリル２００の収納部６Ａが設けられており、この収納部６Ａに昇降グリル２００に収納される。
【００１８】
昇降グリル２００は、吸込グリル１０と、この吸込グリル１０を昇降させる昇降機構（図示せず）とから構成されている。
【００１９】
上記吸込グリル１０の開口部には、吸込空気を清浄化するためのロング・ライフ・フィルタ１１が着脱可能に設置されている。これら吸込グリル１０とフィルタ１１とは、図３に示すように、三本の吊りひも１２、１３、１４を介して、グリル枠４に昇降自在に吊持されている。
【００２０】
上記吸込グリル１０の三ヶ所には三本の吊りひも１２、１３、１４の一端１２ａ、１３ａ、１４ａがそれぞれ止着され、各吊りひも１２、１３、１４の他端１２ｂ、１３ｂ、１４ｂは、昇降機構につながれている。この昇降機構は、図示を省略したステッピングモータと、このステッピングモータで回転駆動される三個のボビンと、ステッピングモータを駆動制御する制御装置とを含んで構成され、図３に示すように、グリル枠４における吸込口６の近くに配置された一つのユニット２１内に収納されている。
【００２１】
このユニット２１内の三個のボビン（図示せず）には、上記三本の吊りひも１２、１３、１４の他端１２ｂ、１３ｂ、１４ｂがそれぞれ巻き取られる。これら吊りひも１２、１３、１４の一端１２ａ、１３ａ、１４ａは、それぞれユニット２１外に導出されて、グリル枠４に形成された各ガイド１６で案内された後、グリル枠４に形成された各通し孔１７を経て、図１に示すように、被調和室側に延出し、上記吸込グリル１０の三ヶ所に固定される。
【００２２】
この昇降グリル２００では、吸込グリル１０の長辺側の一側縁１０Ａが、二本の吊りひも１２、１３で支持されると共に、長辺側の他側縁１０Ｂの略中央部が一本の吊りひも１４で支持される。
【００２３】
また、昇降グリル２００は、この一本の吊りひも１４で支持した部分の近傍に、昇降グリル２００をグリル枠４の収納部６Ａの適正位置に収納したとき、グリル枠４の収納部６Ａの下面６Ｂに当接する当接体２３を備えて構成される。この当接体２３は、空清フィルタ２５の固定金具２７に一体的に形成される。詳述すると、この空気調和機１００では、ロング・ライフ・フィルタ１１の上に重ねて空清フィルタ２５が設置され、この空清フィルタ２５の中央及び両端をそれぞれ固定する固定金具２７のうち、吊りひも１４が近傍に位置する中央を固定する固定金具２７に上記当接体２３が形成される。
【００２４】
また、二本の吊りひも１２、１３で支持した部分の近傍には、昇降グリル２００をグリル枠４の収納部６Ａの適正位置に収納したとき、グリル枠４の収納部６Ａの下面６Ｂに当接する当接体２４を備えて構成される。
【００２５】
また、この昇降グリル２００は、吸込グリル１０の長手方向（図３中矢印Ｘ方向）の両端に、昇降グリル２００をグリル枠４側に上昇させた際に、グリル枠４内に先行して入り、この昇降グリル２００をグリル枠４の適正位置に案内する案内部材４０を備えて構成される。詳述すると、この案内部材４０は、図４に示すように、上記当接体２４と、この当接体２４の外側側面の両端側上部に設けられた突起４１とから構成され、この突起４１が吸込グリル１０の本体より先にグリル枠４内に入り、グリル枠４の内側側面に当接し、当接した内側側面に沿って昇降グリル２００の矢印Ｘ方向の位置を適正位置に案内する。なお、吸込グリル１０の本体とは、上記案内部材４０及び後述する案内部材４２を除く部分である。また、図示の例では、突起４１を略半球形状に形成した場合を示したが、その形状は変更してもよい。
【００２６】
また、この昇降グリル２００は、図４に示すように、吸込グリル１０の短手方向（矢印Ｙ方向）の端部（側縁１０Ｂ側の部分）においても、昇降グリル２００をグリル枠４側に上昇させた際に、グリル枠４内に先行して入り、この昇降グリル２００をグリル枠４の適正位置に案内する案内部材４２を備えて構成される。詳述すると、この案内部材４２は、吸込グリル１０の上記長辺側の側縁１０Ｂの両端にそれぞれ設けられ（図３参照）、グリル枠４の上側に突出するように設けられたリブ４３と、このリブ４３の外側側面の上部に設けられた上記突起４１と同形状の突起４４とから構成される。すなわち、この突起４４が吸込グリル１０の本体より先にグリル枠４内に入り、グリル枠４の内側側面６Ｃ（図４参照）に当接し、当接した内側側面６Ｃに沿って昇降グリル２００の矢印Ｙ方向の位置を適正位置に案内する。
【００２７】
ここで、グリル枠４においては、図４に示すように、上記突起４１、４２が当接する部分の内側側面６Ｃが、下方に行くに従って外側に傾斜する傾斜面に形成されている。すなわち、グリル枠４の収納部６Ａは、下方に行くほど開口が大きく形成されており、これによって、昇降グリル２００をグリル枠４に進入し易くしている。
【００２８】
さらに、この昇降グリル２００には、吸込グリル１０の短手方向の他端部（図中左側の部分）に、昇降グリル２００をグリル枠４側に上昇させた際に、一番最初にグリル枠４の下面に当接する当接体５０を備えて構成される。詳述すると、当接体５０は、吸込グリル１０の端部に設けられ、また、グリル枠４には、上記当接体５０に対向する部分に段差５１が設けられ、この段差５１によって上記下面６Ｂより低い位置に下面５１Ｂが形成される。なお、グリル枠４の当接体５０は、昇降グリル２００がグリル枠４の適正位置に収納された際に、他の当接体２３、２４と同様に、グリル枠４の上記下面５１Ｂに当接するものである。
【００２９】
つぎに、動作を説明する。
【００３０】
ユニット２１内のステッピングモータが回転駆動されると、ボビンに巻かれたそれぞれの吊りひも１２、１３、１４が繰り出し／巻き取りされる。ユニット２１内の上記制御装置は、制御装置と無線状態で通信されるリモートコントローラ（図示せず）によりグリル昇降運転を選択した時に、上記ステッピングモータを駆動制御する。グリル昇降運転は、上記吸込グリル１０の上昇運転と降下運転とを有して構成されており、上記各フィルタ１１、２５の清掃、交換等のメンテナンス作業時に使用される。
【００３１】
このメンテナンス作業時には、まず作業者がリモコンからグリル昇降運転の降下運転を選択する。降下運転が選択されると、上記図示しない制御装置によりステッピングモータが起動されて、ユニット２１から吊りひも１２、１３、１４が繰り出され、図１に示すように、上記吸込グリル１０が天井から降下され始める。この時、ユニット２１から繰り出される吊りひも１２、１３、１４の繰り出し量は、制御装置により各々同量を保たれ、上記吸込グリル１０はほぼ水平状態を維持されながら降下される。
【００３２】
上記吸込グリル１０が、フィルタ交換位置Ｌよりも若干上位の位置Ｈまで降下されると、図示しない制御装置により、第一の時間がカウントされ始める。第一の時間は上記吸込グリル１０が位置Ｈからフィルタ交換位置Ｌに降下されるまでの時間である。第一の時間がカウントされる間、上記吸込グリル１０は水平状態でフィルタ交換位置Ｌまで降下される。このフィルタ交換位置Ｌまで上記吸込グリル１０が降下されると、一本の吊りひも１４の巻かれたボビンが、例えばクラッチ等を介して、ステッピングモータの駆動系から離脱し、当該一本の吊りひも１４の繰り出しが停止される。
【００３３】
そして、図示しない制御装置により、第二の時間がカウントされ始める。第二の時間は、上記吸込グリル１０が水平状態から傾き角ａまで傾けられる時間である。この第二の時間の間、ユニット２１からは二本の吊りひも１２、１３だけが繰り出され、上記吸込グリル１０は水平状態から被調和室の中央部側（空気の吐出側）に傾けられる。
【００３４】
吸込グリル１０が傾き角ａに傾けられると、図示しない制御装置により、ステッピングモータの駆動が停止され、二本の吊りひも１２、１３の繰り出しが停止され、降下運転を停止する。
【００３５】
ここで、上記フィルタ交換位置Ｌは、作業者がメンテナンス作業可能な低所位置であるのが望ましい。このフィルタ交換位置Ｌは、例えば、天井高さ約２．５ｍの居住空間において、天井から吊りひも１２、１３、１４を約１ｍ繰り出して、上記吸込グリル１０が約１ｍ降下した位置であり、上記吸込グリル１０が床から約１．５ｍの高さである。
【００３６】
また、上記傾き角度ａは、上記フィルタ交換位置Ｌにおいて、居住空間の広域側（被調和室の中央部側）に位置する作業者の視野に、上記フィルタ１１、２５の面が確認できる角度であるのが望ましい。例えば、被調和室の中央部側（空気吐出側）に水平位置から４５度傾けられる。
【００３７】
上記フィルタ交換位置Ｌにおいて、作業者により上記フィルタ１１、２５は上記吸込グリル１０から取り外され、清掃、交換される。その後、上記フィルタ１１、２５は上記吸込グリル１０に取り付けられ、作業者によりリモコンからグリル昇降運転の上昇運転が選択される。
【００３８】
上昇運転が選択されると、図示しない制御装置により、第三の時間がカウントされ始める。この第三の時間は、傾き角ａに傾けられた上記吸込グリル１０が水平状態に戻るまでの時間である。この第三の時間がカウントされ始めると、ステッピングモータが駆動され、二本の吊りひも１２、１３の巻き取りが開始され、被調和室の中央部側（空気吐出側）に傾いた上記吸込グリル１０の一端側が水平状態に戻りながら上昇される。ここで、一本の吊りひも１４の巻かれたボビンは、例えばクラッチ等を介して、ステッピングモータの駆動系から離脱し、吊りひも１４の巻き取りは停止される。
【００３９】
つぎに、上記吸込グリル１０が水平状態に戻されると、さらに一本の吊りひも１４の巻かれたボビンがステッピングモータの駆動系に連結されて、上位吸込グリル１０は水平状態で上昇される。
【００４０】
この場合に吸込グリル１０が水平状態のまま揺動することなく上昇すれば、吸込グリル１０は、上記当接体２３、２４、５０がグリル枠４の収納部６Ａの下面６Ｂ、５１Ｂに当接するまで、グリル枠４の部材に接触することなくグリル枠４に進入する。そして、当接体２３、２４、５０が、グリル枠４の収納部６Ａの下面に当接した後は、例えば対応するボビンがステッピングモータの駆動系から離脱し、スリップ等して、対応する吊りひもの巻き取りが停止し、すべてが停止した場合、図示しない制御装置により上昇運転が停止される。これにより、吸込グリル１０がグリル枠４の適正位置に収納される。
【００４１】
ところで、吸込グリル１０の上昇中には、吸込グリル１０が外部から力を受けるなどして揺動するおそれがある。この実施形態によれば、グリル枠４の収納部６Ａの開口が下方に行くほど大きく形成されているので、吸込グリル１０が多少揺動しても、吸込グリル１０はグリル枠４に確実に進入する。
【００４２】
さらに、本実施形態では、吸込グリル１０の上側に突出する上記案内部材４０、４２が、吸込グリル１０の本体に先行してグリル枠４内に進入するので、揺動方向に応じてこの案内部材４０、４２のいずれかがグリル枠４の内側側面６Ｃに当接し、この当接によって吸込グリル１０の長手方向（矢印Ｘ方向）又は短手方向（矢印Ｙ方向）のそれ以上の揺動が抑えられる。さらに、この案内部材４０又は４２がグリル枠４の内側側面６Ｃに当接することによって、吸込グリル１０が上昇するにつれて、この内側側面６Ｃに沿って吸込グリル１０の長手方向（矢印Ｘ方向）又は短手方向（矢印Ｙ方向）の揺動量が徐々に抑えられ、吸込グリル１０がグリル枠４の適正位置に案内されていく。これにより、吸込グリル１０の当接体２３、２４、５０が、グリル枠４の収納部６Ａの下面に当接して全ての吊りひも１２〜１４の巻き取りが停止するまでステッピングモータを駆動すれば、吸込グリル１０がグリル枠４の適正位置に収納される。
【００４３】
また、吸込グリル１０の上昇中においては、各吊りひも１２〜１４に加わる引っ張り力の違いなどを原因として、各吊りひも１２〜１４の巻き取り量に差が生じ、水平状態にすべき吸込グリル１０が傾いた状態で上昇し、吸込グリル１０がグリル枠４に完全に格納されなくなってしまうおそれがある。特に、吊りひも１４にかかる吸込グリル１０の加重は、吊りひも１２、１３にかかる吸込グリル１０の加重よりも大きいため、図５に示すように、吸込グリル１０は、吊りひも１４側が下がった状態で上昇するおそれがある。
【００４４】
本実施形態では、この場合に上側にある端部に当接体５０を設けているので、この当接体５０が一番最初にグリル枠４の下面５１Ｂに当接し、この当接した部分を支点として、吸込グリル１０が図中矢印Ｚ方向に回動して吊り上げられることとなる。そして、吸込グリル１０は、他の当接体２３、２４がグリル枠４に当接するまで回動することにより、略水平状態に戻される。また、この回動の間、吸込グリル１０は、上記案内部材４０、４２がグリル枠４の内側側面６Ｃに適宜当接することによって、矢印Ｘ方向及び矢印Ｙ方向の位置が適正位置に調整される。これによって、吸込グリル１０がグリル枠４の適正位置に収納されるようになっている。
【００４５】
これに対し、吸込グリル１０の当接体５０側と反対側が高い傾きで上昇した場合には、上記当接体２３が一番最初にグリル枠４の下面６Ｂに当接するため、この当接した部分を支点として、吸込グリル１０が他の当接体２４、５０が当接する。これにより、吸込グリル１０が略水平状態に戻されてグリル枠４の適正位置に収納される。
【００４６】
また、上記説明では、吸込グリル１０が短手方向（矢印Ｙ方向）に傾いた場合に傾きが修正される場合について説明したが、長手方向（矢印Ｘ方向）に傾いた場合でも、長手方向の端部に設けられた当接体２４が一番最初にグリル枠４の下面６Ｂに当接するため、この当接した部分を支点として、吸込グリル１０が他の当接体２３、５０が当接するまで回動し、略水平状態に戻される。これにより、吸込グリル１０がいずれの方向に傾いた場合でも、その傾きが当接体２３、２４、５０によって補正される。
【００４７】
以上説明したように、この実施形態によれば、吸込グリル１０をフィルタ交換位置Ｌからグリル枠４側に上昇させた際に、案内部材４０、４２が、グリル枠４の本体よりグリル枠４内に先行して入り、グリル枠４の内側側面に沿って吸込グリル１０の位置を案内するので、吸込グリル１０が揺動しても吸込グリル１０をグリル枠４の適正位置に収納することができる。
【００４８】
また、吸込グリル１０をフィルタ交換位置Ｌからグリル枠４側に上昇させた際に、上記当接体５０、２３、２４のいずれかが一番最初にグリル枠４の下面５１Ｂ、６Ｂに当接し、当接した部分を支点として吸込グリル１０を回動可能に吊り上げるようにしているので、吸込グリル１０が傾いた場合でも、水平状態に戻すことができる。
【００４９】
従って、吸込グリル１０が傾いたり揺動した場合であっても、吸込グリル１０を完全にグリル枠４に格納することができる。
【００５０】
また、この実施形態によれば、上記フィルタ１１の清掃、交換時には、上記吸込グリル１０は降下されて、被調和室の中央部側（空気の吐出側）に傾けられるため、作業者Ａに上記フィルタ１１、２５の状態が確認でき、フィルタ１１、２５の着脱作業が容易に行える。また、上記フィルタ１１、２５の掃除、交換の後、上記吸込グリル１０は、傾いた状態から水平状態に戻されて、水平状態で上昇させるから、上記吸込グリル１０をグリル枠４に無理なくスムーズに装着させることができる。
【００５１】
以上、本発明を上記実施の形態に基づいて説明したが、本発明はこれに限定されるものではない。
【００５２】
例えば、一方向カセット型の空気調和装置について説明したが、二方向カセット型のもの、四方向カセット型のものにも適用が可能である。この場合、吸込グリルを傾かせる向きは、空気の吐出側に限定されない。
【００５３】
【発明の効果】
上述したように本発明は、吸込グリルが傾いたり揺動した場合であっても、吸込グリルを完全に格納することができる。
【図面の簡単な説明】
【図１】本発明に係る天井埋込型空気調和装置の一実施の形態を示す図である。
【図２】同天井埋込型空気調和装置の短手方向の断面図である。
【図３】同天井埋込型空気調和装置のグリル枠と吸込グリルとを示す図である。
【図４】同吸込グリルがグリル枠内に進入したときの状態を示す側断面図である。
【図５】同吸込グリルが傾いた状態でグリル枠に進入したときの状態を示す側断面図である。
【符号の説明】
１  本体
５  吹出口
４  グリル枠
６  吸込口
１０  吸込グリル
１１  ロング・ライフ・フィルタ
１２、１３、１４  吊りひも
２１  ユニット
２３、２４、５０  当接体
２５  空清フィルタ
２７  固定金具
４０、４２  案内部材
４１、４４  突起
４３  リブ
１００  天井埋込型空気調和装置
２００  昇降グリル
【図１】
2004218963.tif 000003
【図２】
2004218963.tif 000004
【図３】
2004218963.tif 000005
【図４】
2004218963.tif 000006
【図５】
2004218963.tif 000007